(57)【要約】  本発明は、長手方向（Ｌ）に延びているバレル（１２）と、芯押出機構と、芯貯蔵部と、サイドボタンと、螺旋状のカムを有する消しゴム押出機構（２２）と、を含むシャープペンシル（１０）を提供する。芯押出機構、芯貯蔵部、消しゴム押出機構（２２）及びサイドボタン（１８）は、少なくとも一部がバレル（１２）の内部に収容されている。芯押出機構、芯貯蔵部及び消しゴム押出機構（２２）は、互いに対して、かつ、サイドボタン（１８）に対して、長手方向（Ｌ）を軸として回転することが妨げられている。サイドボタン（１８）は、バレル（１２）に対して長手方向（Ｌ）を軸として回転することが妨げられている。【選択図】図１
2019508291.tif 000002
【特許請求の範囲】
【請求項１】
長手方向（Ｌ）に延びているバレル（１２）と、芯押出機構（２４）と、芯貯蔵部（２６）と、サイドボタン（１８）と、螺旋状のカムを有する消しゴム押出機構（２２）と、を含み、
前記芯押出機構（２４）、前記芯貯蔵部（２６）、前記消しゴム押出機構（２２）及び前記サイドボタン（１８）は、少なくとも一部が前記バレル（１２）の内部に収容されており、
前記芯押出機構（２４）、前記芯貯蔵部（２６）及び前記消しゴム押出機構（２２）は、互いに対して、かつ、前記サイドボタン（１８）に対して、前記長手方向（Ｌ）を軸として回転することが妨げられており、
前記サイドボタン（１８）は、前記バレル（１２）に対して前記長手方向（Ｌ）を軸として回転することが妨げられている、シャープペンシル（１０）。
【請求項２】
前記芯押出機構（２４）は、前記芯貯蔵部（２６）に対して前記長手方向（Ｌ）を軸として回転することが妨げられており、
前記芯貯蔵部（２６）は、前記消しゴム押出機構（２２）に対して前記長手方向（Ｌ）を軸として回転することが妨げられている、請求項１に記載のシャープペンシル（１０）。
【請求項３】
前記芯押出機構（２４）は、前記サイドボタン（１８）に対して前記長手方向（Ｌ）を軸として回転することが妨げられている、請求項１又は２に記載のシャープペンシル（１０）。
【請求項４】
前記バレル（１２）は、前記長手方向（Ｌ）に延びているスロット（１１４）を含み、
前記サイドボタン（１８）は、柄（５０）によって互いに接続された駆動部（４６）及び環状リング（４８）を含み、
前記サイドボタン（１８）は、前記柄（５０）と前記スロット（１１４）との協働によって、前記長手方向（Ｌ）を軸として回転することが妨げられている、請求項１〜３のいずれか１項に記載のシャープペンシル（１０）。
【請求項５】
前記環状リング（４８）は、実質的に球状の外側表面（５２）を有する、請求項１〜４のいずれか１項に記載のシャープペンシル（１０）。
【請求項６】
前記サイドボタン（１８）は、前記バレル（１２）の内部に配置された環状リング（４８）を含み、
前記芯押出機構（２４）は、チャックホルダ（３６）を含み、
前記チャックホルダ（３６）は、前記環状リング（４８）に対して前記長手方向（Ｌ）を軸として回転することが妨げられている、請求項１〜５のいずれか１項に記載のシャープペンシル（１０）。
【請求項７】
前記芯押出機構（２４）は、チャックホルダ（３６）を含み、
前記芯貯蔵部（２６）は、前記チャックホルダ（３６）に対して前記長手方向（Ｌ）を軸として回転することが妨げられている、請求項１〜６のいずれか１項に記載のシャープペンシル（１０）。
【請求項８】
前記消しゴム押出機構（２２）は、前記芯貯蔵部（２６）に対して前記長手方向（Ｌ）を軸として回転することが妨げられているガイドシリンダ（３８）を含む、請求項１〜７のいずれか１項に記載のシャープペンシル（１０）。
【請求項９】
前記芯押出機構（２４）、前記芯貯蔵部（２６）及び前記消しゴム押出機構（２２）は、長手方向に連結している、請求項１〜８のいずれか１項に記載のシャープペンシル（１０）。
【請求項１０】
少なくとも１つの長手方向の連結が、長手方向のスナップ嵌めである、請求項９に記載のシャープペンシル（１０）。
【請求項１１】
前記長手方向（Ｌ）を軸とする回転は、少なくとも、回転を妨げるためのシステムによって妨げられており、
前記システムは、複数のリブ（６０、７２、７６、８４、９０）を含み、
各リブは、傾斜した長手方向端部（６０Ａ、７２Ａ、７６Ａ、８４Ａ、９０Ａ）を含む、請求項１〜１０のいずれか１項に記載のシャープペンシル（１０）。
【請求項１２】
長手方向（Ｌ）に延びているバレル（１２）と、芯押出機構（２４）と、芯貯蔵部（２６）と、螺旋状のカムを有する消しゴム押出機構（２２）と、サイドボタン（１８）と、を供給する工程と、
前記サイドボタン（１８）が前記バレル（１２）に対して前記長手方向（Ｌ）を軸として回転することを妨げる工程と、
前記バレル（１２）の内部に前記芯押出機構（２４）を挿入し、前記芯押出機構（２４）が前記サイドボタン（１８）に対して前記長手方向（Ｌ）を軸として回転することを妨げる工程と、
前記消しゴム押出機構（２２）及び前記芯貯蔵部（２６）を互いに組み付けて、前記消しゴム押出機構（２２）が前記芯貯蔵部（２６）に対して前記長手方向（Ｌ）を軸として回転することを妨げる工程と、
前記バレル（１２）の内部に前記芯貯蔵部（２６）及び前記消しゴム押出機構（２２）を挿入し、前記芯貯蔵部（２６）が前記芯押出機構（２４）に対して前記長手方向（Ｌ）を軸として回転することを妨げる工程と、
を含む、シャープペンシル（１０）を組み立てる方法。
【請求項１３】
前記サイドボタン（１８）は、軸（Ａ）を有する柄（５０）によって互いに接続された駆動部（４６）及び環状リング（４８）を含み、
前記バレル（１２）は、前記長手方向（Ｌ）に延びているスロット（１１４）を含み、
前記サイドボタン（１８）の前記環状リング（４８）を前記バレル（１２）の前記スロットに挿入し、前記サイドボタン（１８）を前記柄（５０）の前記軸（Ａ）の周りに９０°回転させ、前記柄（５０）と前記スロット（１１４）との協働によって、前記サイドボタン（１８）が前記長手方向（Ｌ）を軸として回転することを妨げる、請求項１２に記載の方法。
【請求項１４】
前記芯押出機構（２４）、前記芯貯蔵部（２６）及び前記消しゴム押出機構（２２）は、長手方向に連結している、請求項１２又は１３に記載の方法。
【発明の詳細な説明】
【技術分野】
【０００１】
本開示は、消しゴム押出機構を備え、側面によって作動するシャープペンシルに関する。
【背景技術】
【０００２】
消しゴム押出機構によれば、消しゴムが、シャープペンシルのバレルの外部に延びること、又は、バレルの内部に後退することが可能になる。バレルは、長手方向に延びている。
【０００３】
この目的のため、一般的に、消しゴム押出機構は、螺旋状のカムを有するチューブ、及び、チューブの回転運動を長手方向における消しゴムの直線運動に変換することを可能にする直線ガイドシリンダ（un cylindre de guidage en translation）を含む。
【０００４】
ガイドシリンダは、バレルに対して回転することが妨げられており、螺旋状のカムを有するチューブとともに回転しないことに留意すべきである。
【０００５】
一般的に、ガイドシリンダは、バレル内において、ガイドシリンダの端部が機械的に固定されることによって、及び／又は、少なくとも１つの溝と少なくとも１つのリブとの協働によって、回転することが妨げられる。溝及びリブは、それぞれ、ガイドシリンダの一端及びバレル、又は、その反対に位置する。
【０００６】
例えば、射出成形樹脂材料によって得られた部品の製作公差の観点から、機械的な固定が難しく、所定の部品が廃棄されることがある。
【０００７】
さらに、バレルにおいて、リブ及び／又は溝の寸法管理を行うことが難しいこともある。一般的に、ガイドシリンダは、溝又はリブが位置する端部を通じて、バレルの内部に挿入されるため、場合によっては、バレルのリブ又は溝は、長手方向において、（バレルにおけるガイドシリンダの挿入長さに相当する）比較的長い寸法を有しており、周方向に比較的短い寸法を有している。
【０００８】
さらに、一般的に、そのタイプのシャープペンシルでは、所定の部品が長手方向を軸として回転することを妨げる必要があるため、組み立てが複雑である。芯押出機構を駆動させるためのサイドボタンが加わると、組み立てはさらに複雑になる。
【０００９】
シャープペンシルを構成する全ての部品を組み付けることが可能になるように、しばしば、周方向又は方位方向について、部品を方向付ける（d'indexer）必要がある。
【００１０】
また、確実かつ単純な方法で、ガイドシリンダが長手方向を軸として回転することを妨げること、及び、サイドボタンを備えるシャープペンシルを組み立てることは、難しいことがある。
【発明の概要】
【発明が解決しようとする課題】
【００１１】
本開示は、上述したこれらの問題を少なくとも部分的に改善することを目的とする。
【課題を解決するための手段】
【００１２】
この目的のため、本開示は、
長手方向に延びているバレルと、芯押出機構と、芯貯蔵部と、サイドボタンと、螺旋状のカムを有する消しゴム押出機構と、を含み、
芯押出機構、芯貯蔵部、消しゴム押出機構及びサイドボタンは、少なくとも一部がバレルの内部に収容されており、
芯押出機構、芯貯蔵部及び消しゴム押出機構は、互いに対して、かつ、サイドボタンに対して、長手方向を軸として回転することが妨げられており、
サイドボタンは、バレルに対して長手方向を軸として回転することが妨げられている、シャープペンシルを提供する。
【００１３】
この配置によれば、消しゴム押出機構は、サイドボタンによって、バレルに対して長手方向を軸として回転することが妨げられている。
【００１４】
消しゴム押出機構、芯貯蔵部及び芯押出機構が、互いに対して、かつ、サイドボタンに対して、長手方向を軸として回転することが妨げられており、また、当該サイドボタンがバレルに対して長手方向を軸として回転することが妨げられているため、消しゴム押出機構は、バレルに対して回転することが妨げられている。このように、消しゴム押出機構は、間接的に、バレルに対して長手方向を軸として回転することが妨げられている。このように、消しゴム押出機構、芯貯蔵部及び芯押出機構は、この順で、互いに連結していることに留意すべきである。特に、消しゴム押出機構は、芯貯蔵部と連結しており、芯貯蔵部は、消しゴム押出機構とともに回転することが妨げられている。
【００１５】
このように、消しゴム押出機構は、消しゴム押出機構とバレルとの直接的な協働によって回転することが妨げられているわけではない。したがって、バレル内における消しゴム押出機構を固定するための機械的な手段、及び／又は、バレル内における溝及び／又はリブを提供する必要がない。
【００１６】
消しゴム押出機構及び芯押出機構は、それぞれ、長手方向を軸として自由に回転する部分を含んでいてもよいことに留意すべきである。また、消しゴム押出機構の少なくとも一部又は芯押出機構の少なくとも一部が、長手方向を軸として回転することが妨げられているときはいつでも、消しゴム押出機構又は芯押出機構は、長手方向を軸として回転することが妨げられていることに留意すべきである。
【００１７】
また、２つの部品が長手方向を軸として回転することが妨げられているとき、それらの部品は、互いに対して、長手方向を軸として数度、例えば最大で２°、旋回（pivoter）できることに留意すべきである。様々な部品が互いに挿入できるように、これらの部品の間には機能的な隙間が存在してもよい。２つの部品が、互いに対して、長手方向を軸として回転することが妨げられている場合であっても、これらの機能的な隙間によれば、これらの２つの部品を互いに対して旋回させることができる。
【００１８】
バレルは、長手方向に延びているスロット（une fenetre）と、柄（une tige）によって互いに接続された駆動部及び環状リング（une bague annulaire）を含むサイドボタンとを含んでいてもよい。サイドボタンは、隣接する柄とスロットとの協働によって、長手方向を軸として回転することが妨げられている。
【００１９】
この配置によれば、サイドボタン及びバレルが長手方向を軸として回転することを妨げることができる。柄は、長手方向に延びているスロットの側面に隣接して協働することによって、回転することが妨げられている。さらに、スロットが長手方向に延びているため、サイドボタンは、芯押出機構を駆動することを目的として、当該方向に沿って動かされ得る。
【００２０】
環状リングは、実質的に球状の外側表面を有していてもよい。
【００２１】
環状リングの外側表面が延ばされた場合、球又は実質的に球状の塊が得られることに留意すべきである。「実質的に球状」の語は、球の中心を通過する３つの直交軸が厳密に等しくなくてもよいことを意味することに留意すべきである。３つの軸のうちの第１軸の長さは、３つの軸のうちの第２軸の長さの９５％〜１０５％の範囲にあってもよい。外側表面の形状によれば、シャープペンシルを組み立てる間に、環状リングの外側表面がバレルの内壁に引っかかる危険性が低減するため、バレル内でサイドボタンが回転できる。外側表面が実質的に球状であるため、環状リングがバレルの内部に挿入されたときに、環状リングとバレルとの間の隙間が低減するように、環状リングの最大直径をバレルの内径と一致させてもよい。このように、リングとバレルとの間の接触面積を母線（une generatrice）にまで制限することができる。
【００２２】
サイドボタンは、バレルの内部に配置された環状リングを含んでいてもよい。芯押出機構は、チャックホルダ（un support de pince）を含んでいてもよい。チャックホルダは、環状リングに対して長手方向を軸として回転することが妨げられている。
【００２３】
隣接するチャックホルダの表面と環状リングの表面との協働は、サイドボタンが芯押出機構に対して長手方向を軸として回転することを妨げる。
【００２４】
芯押出機構は、チャックホルダを含んでいてもよい。芯貯蔵部は、チャックホルダに対して長手方向を軸として回転することが妨げられている。
【００２５】
隣接するチャックホルダの表面と芯貯蔵部の表面との協働は、芯押出機構が芯貯蔵部に対して長手方向を軸として回転することを妨げる。
【００２６】
消しゴム押出機構は、芯貯蔵部に対して長手方向を軸として回転することが妨げられているガイドシリンダを含んでいてもよい。
【００２７】
隣接するガイドシリンダの表面と芯貯蔵部の表面との協働は、消しゴム押出機構が芯貯蔵部に対して長手方向を軸として回転することを妨げる。
【００２８】
芯押出機構、芯貯蔵部及び消しゴム押出機構は、長手方向に連結していてもよい。
【００２９】
そのため、消しゴム押出機構を押すことによって、特に消しゴムを押すことによって、芯押出機構を駆動することができる。２つの部品が長手方向に連結しているとき、それらは長手方向Ｌに沿って、同じ方向に一緒に移動することに留意すべきである。
【００３０】
芯押出機構と芯貯蔵部との間における長手方向での連結力は、芯貯蔵部と芯押出機構との間における長手方向での連結力より大きくてもよい。
【００３１】
このように、芯押出機構と芯貯蔵部との間における連結力は、芯貯蔵部と消しゴム押出機構との間における連結力よりも大きいため、消しゴム押出機構がバレルから引き出されたときには、まず、芯貯蔵部と消しゴム押出機構との間の連結が切り離される。これにより、芯貯蔵部を満たすことができる。すなわち、シャープペンシルに芯を補充することができる。
【００３２】
この連結方法は、容易に実施できる。
【００３３】
長手方向を軸とする回転は、少なくとも、回転を妨げるためのシステムによって妨げられてもよい。システムは、複数のリブを含む。各リブは、傾斜した長手方向端部を含む。
【００３４】
回転を妨げるためのシステムが複数のリブを含むため、様々な部品について、互いの角度位置をより容易に定めることができる。具体的には、回転を妨げるためのシステムが１つのリブのみを有していた場合、回転を妨げるべき２つの部品は、ただ１つの位置のみにおいて協働することができる。リブの数が増加すればするほど、複数の部品が互いに協働できる角度位置の数が増加する。したがって、組み立てが容易になる。
【００３５】
本開示は、さらに、
長手方向に延びているバレルと、芯押出機構と、芯貯蔵部と、螺旋状のカムを有する消しゴム押出機構と、サイドボタンと、を供給する工程と、
サイドボタンがバレルに対して長手方向を軸として回転することを妨げる工程と、
バレルの内部に芯押出機構を挿入し、芯押出機構がサイドボタンに対して長手方向を軸として回転することを妨げる工程と、
消しゴム押出機構及び芯貯蔵部を互いに組み付けて、消しゴム押出機構が芯貯蔵部に対して長手方向を軸として回転することを妨げる工程と、
バレルの内部に芯貯蔵部及び消しゴム押出機構を挿入し、芯貯蔵部が芯押出機構に対して長手方向を軸として回転することを妨げる工程と、
を含む、シャープペンシルを組み立てる方法を提供する。
【００３６】
このシャープペンシルの組み立ては、比較的容易である。芯押出機構及び消しゴム押出機構は、それぞれ、バレルの外部で組み立てられてもよく、また、消しゴム押出機構は、バレルの外部で、芯貯蔵部に組み付けられてもよい。
【００３７】
このように、バレルの内部にサイドボタンの一部を挿入したあとに、２つのサブアセンブリがバレルの内部に配置される。芯貯蔵部及び消しゴム押出機構は、長手方向に連結していてもよい。
【００３８】
さらに、長手方向を軸とする回転を妨げることは、バレルにおけるリブの存在を必要としない。消しゴム押出機構が芯貯蔵部に対して長手方向を軸として回転することが妨げられているため、消しゴム押出機構は、バレルに対する回転が妨げられている。芯貯蔵部自体は、芯押出機構に対して長手方向を軸として回転することが妨げられている。また、芯押出機構は、サイドボタンに対して長手方向を軸として回転することが妨げられている。サイドボタンは、バレルに対して長手方向を軸として回転することが妨げられている。
【００３９】
サイドボタンは、軸を有する柄によって互いに接続された駆動部及び環状リングを含んでいてもよい。バレルは、長手方向に延びているスロットを含んでいてもよい。サイドボタンの環状リングをバレルのスロットに挿入し、サイドボタンを柄の軸の周りに９０°回転させてもよい。サイドボタンは、隣接する柄とスロットとの協働によって、長手方向を軸として回転することが妨げられている。
【００４０】
環状リングの形状によれば、環状リングが、サイドボタンの使用形態に対して９０°の位置に位置付けられた形態で、環状リングをスロットに挿入できる。その後、バレルの内部に環状リングを挿入するときに長手方向に直交していた環状リングの軸が長手方向に平行になるように、サイドボタンを回転させることができる。
【００４１】
芯押出機構、芯貯蔵部及び消しゴム押出機構は、長手方向に連結していてもよい。
【００４２】
他の特徴及び利点は、添付の図面を参照し、非限定的な例として示される本発明の実施形態に関する以下の説明に示される。
【図面の簡単な説明】
【００４３】
【図１】図１は、一実施形態のシャープペンシルにおけるシャープペンシルの斜視図である。
【図２】図２は、第１視点で示された図１のシャープペンシルの分解図である。
【図３】図３は、第２視点で示された図１のシャープペンシルの第２分解斜視図である。
【図４】図４は、図２に示されたサイドボタンの拡大斜視図である。
【図５Ａ】図５Ａは、図２に示されたチャックホルダの拡大斜視図である。
【図５Ｂ】図５Ｂは、図２に示されたチャックホルダの長手方向における拡大断面図である。
【図６Ａ】図６Ａは、図２に示された芯貯蔵部の第１端部の拡大斜視図である。
【図６Ｂ】図６Ｂは、図２に示された芯貯蔵部の第２端部の拡大斜視図である。
【図７】図７は、図２に示されたガイドシリンダの拡大斜視図である。
【図８】図８は、バレルの内部に挿入される前のサイドボタンを示す斜視図である。
【図９】図９は、サイドボタンがすでにバレルの内部に挿入され、組み立て済みの芯押出機構をバレルの内部に挿入することができるシャープペンシルの断面図である。
【図１０】図１０は、組み立て済みの消しゴム押出機構及び芯貯蔵部をバレルの内部に挿入することができるシャープペンシルの断面図である。
【図１１】図１１は、作動形態での、図１のXI-XI平面における図１のシャープペンシルの断面図である。
【図１２】図１２は、休止形態での、図１のシャープペンシルの同様の図である。
【発明を実施するための形態】
【００４４】
図１は、長手方向Ｌに延びているバレル１２と、バレル１２の前端部１２Ａに螺合して固定された突出部（un nez）１４と、芯保護部（un protege-mine）１６と、サイドボタン１８と、バレルの後端部１２Ｂに配置されたクリップ２０と、消しゴム押出機構２２とを含むシャープペンシル１０を示す。
【００４５】
以下では、「前」及び「後」の語は、長手方向Ｌにおけるこれらの前端部１２Ａ及び後端部１２Ｂに関連して理解されるべきである。
【００４６】
一般的には、長手方向は、バレルの軸Ｌの方向に相当し、半径方向Ｒは、長手方向Ｌに直交する方向である。周方向Ｃは、長手方向Ｌを軸として輪を描く方向に相当する。これら３つの方向、すなわち長手方向、半径方向及び周方向（又は方位方向）は、それぞれ、円筒座標系の高さ、半径及び角度によって定義される方向に相当する。最後に、異なる説明がない限り、「内側」及び「外側」といった形容詞は、半径方向に関連して用いられており、部品の内側部分（すなわち、半径方向の内側部分）は、同じ部品の外側部分（すなわち、半径方向の外側部分）よりも軸Ｌに近い。
【００４７】
図２及び３は、異なる視点で示された図１のシャープペンシル１０の２つの分解図である。
【００４８】
また、シャープペンシル１０は、芯押出機構２４及び芯貯蔵部２６を含む。
【００４９】
芯押出機構２４は、チャック２８、固定用リング３０、チャックスリーブ（un manchon de pince）３２、バネ３４及びチャックホルダ３６を含む。
【００５０】
消しゴム押出機構２２は、ガイドシリンダ３８、消しゴムホルダ４０、チューブ４２及び消しゴム４４を含む。
【００５１】
サイドボタン１８は、図４を参照して、以下で詳細に説明する。サイドボタン１８は、柄５０によって互いに接続された駆動部４６及び環状リング４８を含む。環状リング４８は、実質的に球状の外側表面５２と、規則的に互いに離間した複数の長手方向リブ５６を有する内側表面５４とを有する。リブ５６同士の間の空間は、溝５８を形成している。サイドボタン１８が使用形態であるとき、リブ５６及び溝５８は、シャープペンシル１０の軸Ｌに平行であることに留意すべきである。使用形態において、環状リング４８の軸は、シャープペンシル１０の軸Ｌと平行であり、シャープペンシル１０の軸Ｌに一致する。
【００５２】
サイドボタン１８の使用形態において、柄５０は、半径方向Ｒに方向付けられた軸Ａを有することに留意すべきである。
【００５３】
図５Ａ及び５Ｂは、それぞれ、後部及び前部から見た芯押出機構のチャックホルダ３６の斜視図である。図５Ａ及び５Ｂでの実施形態において、チャックホルダ３６は、前部から後部にかけて、円錐状の中間部３６Ｂによって接続された第１円筒部３６Ａ及び第２円筒部３６Ｃを含む。続いて、チャックホルダ３６は、カラー３６Ｄによって第２円筒部３６Ｃに接続された第３円筒部３６Ｅを含む。
【００５４】
第３円筒部３６Ｅは、その外側表面３６Ｆにおいて、規則的に互いに離間した複数の長手方向リブ６０を有する。リブ６０同士の間の空間は、溝６２を形成している。チャックホルダ３６がシャープペンシル１０に組み付けられているとき、すなわち、チャックホルダ３６が使用形態であるとき、リブ６０及び溝６２は、シャープペンシル１０の軸Ｌに平行であることに留意すべきである。
【００５５】
チャックホルダ３６がサイドボタン１８に対して長手方向Ｌを軸として回転することが妨げられるように、チャックホルダ３６のリブ６０及び溝６２は、環状リング４８の内側表面５４におけるリブ５６及び溝５８と協働するように構成されている。さらに、チャックホルダ３６のカラー３６Ｄの端面（une surface de butee）６４は、環状リング４８の端面４８Ａと協働するように設計されている。
【００５６】
チャックホルダ３６は、中空であり、さらに、環状の起伏部６６を備える前部３６Ｈを有する内側表面３６Ｇを含む。環状の起伏部６６は、チャック２８がチャックホルダ３６の内部で長手方向Ｌに固定されるように、チャック２８の後端部２８Ａにおける環状の起伏部６８と相補的に協働するように構成されている。
【００５７】
チャックホルダ３６の内側表面３６Ｇは、楕円形状の起伏部７０を有する中間部３６Ｉを含む。図５Ａ及び５Ｂの実施形態では、後部３６Ｉは、８つの楕円形状の起伏部７０を有し、８つの起伏部７０は、長手方向Ｌに沿って、４つの起伏部ごとに２つの群に分けられている。各群は、周方向Ｃに均等に分けられた４つの楕円形状の起伏部７０を含む。
【００５８】
また、チャックホルダ３６の内側表面３６Ｇは、規則的に互いに離間した複数の長手方向リブ７２を有するチャックホルダ３６の後部３６Ｊを含む。図５Ａ及び５Ｂの実施形態では、４つの長手方向リブ７２が存在する。リブ７２同士の間の空間は、溝７４を形成している。チャックホルダ３６がシャープペンシル１０に組み付けられているとき、すなわち、チャックホルダ３６が使用形態であるとき、リブ７２及び溝７４は、シャープペンシル１０の軸Ｌに平行であることに留意すべきである。
【００５９】
図５Ａ及び５Ｂに示すとおり、各リブ６０は、その長手方向後端部に傾斜面６０Ａを有する。
【００６０】
チャックホルダ２８及びサイドボタン１８が互いに組み付けられるとき、傾斜面６０Ａによれば、サイドボタン１８の環状リング４８にチャックホルダ２８をより容易に挿入することができる。特に、リブ及び溝が正しく並んでいないとき、傾斜面によれば、リブ及び溝を容易に並ばせることができる。これにより、サイドボタン１８にチャックホルダ２８をより容易に組み付けることができる。
【００６１】
同様に、各リブ７２は、その長手方向後端部に、２つの傾斜面７２Ａを有する。
【００６２】
図６Ａ及び６Ｂは、芯貯蔵部２６の前端部２６Ａ及び後端部２６Ｂの斜視図である。これらの２つの端部２６Ａ及び２６Ｂの間において、芯貯蔵部２６は、芯を収容するために実質的に円筒形状であり、かつ、長手方向Ｌに延びている貯蔵ボディ（un corps de reservoir）２６Ｃを含む。
【００６３】
図６Ａに示すとおり、芯貯蔵部の前端部２６Ａは、前部から後部にかけて、２つの環状フランジ８０と、規則的に互いに離間した４つの長手方向リブ７６とを含む。各リブ７６は、長手方向前端部に、２つの傾斜面７６Ａを有する。リブ７６同士の間の空間は、溝７８を形成している。リブ７６、溝７８及び環状フランジ８０は、芯貯蔵部の外側表面２６Ｄに位置する。
【００６４】
芯貯蔵部２６がチャックホルダ３６に対して長手方向Ｌを軸として回転することが妨げられるように、芯貯蔵部２６の前端部２６Ａにおけるリブ７６及び溝７８は、チャックホルダ３６の内側表面３６Ｇの後部３６Ｊに位置するリブ７２及び溝７４と協働するように構成されている。さらに、芯貯蔵部２６とチャックホルダ３６とが長手方向に連結するように、芯貯蔵部２６の前端部２６Ａにおける環状フランジ８０は、チャックホルダ３６の内側表面３６Ｇの中間部３６Ｉに位置する楕円形状の起伏部７０と協働するように構成されている。加えて、芯貯蔵部２６は、チャックホルダ３６の後端面３６Ｋに隣接するための肩部８２を有する。
【００６５】
チャックホルダ２８及び芯貯蔵部２６を互いに組み付けるとき、リブ７２の傾斜面７２Ａ及びリブ７６の傾斜面７６Ａによれば、チャックホルダ２８の第３円筒部３６Ｅに、芯貯蔵部２６の前端部２６Ａをより容易に挿入することができる。特に、リブ及び溝が正しく並んでいないとき、傾斜面によれば、芯貯蔵部２６がチャックホルダ２８に対して長手方向Ｌを軸としてより容易に回転することによって、組み付け中に、リブ及び溝を容易に並ばせることができる。
【００６６】
図６Ｂに示すとおり、芯貯蔵部２６の後端部２６Ｂは、規則的に互いに離間した４つの長手方向リブ８４が位置する内側表面２６Ｅを有する。各リブ８４は、長手方向後端部に、２つの傾斜面８４Ａを有し、かつ、楕円形状の起伏部８８を有する。リブ８４同士の間の空間は、溝８６を形成している。
【００６７】
図７は、消しゴム押出機構２２のガイドシリンダ３８の斜視図である。
【００６８】
ガイドシリンダ３８は、前端部３８Ａ及び後端部３８Ｃを有し、端部３８Ａ及び３８Ｃは、ボディ３８Ｂによって互いに接続されている。前端部３８Ａは、その外側表面３８Ｄに、規則的に互いに離間した４つの長手方向リブ９０を有する。各リブ９０は、長手方向前端部に、２つの傾斜面９０Ａを有する。リブ９０同士の間の空間は、溝９２を形成している。環状フランジ９４が溝９２に配置されている。環状フランジ９４は、半径方向Ｒに厚みを有し、当該厚みは、これと同じ半径方向Ｒにおけるリブ９０の厚みよりも小さい。リブ９０の厚みは、直接隣接している環状フランジ９４に対して比較される。
【００６９】
ガイドシリンダ３８が芯貯蔵部２６に対して長手方向Ｌを軸として回転することが妨げられるように、ガイドシリンダ３８の前端部３８Ａにおけるリブ９０及び溝９２は、芯貯蔵部２６の後端部２６Ｂの内側表面２６Ｅに位置するリブ８４及び溝８６と協働するように構成されている。さらに、ガイドシリンダ３８と芯貯蔵部２６とが長手方向に連結するように、ガイドシリンダ３８の前端部３８Ａにおける環状フランジ９４は、芯貯蔵部２６の後端部２６Ｂの突起部（les pattes）８４に位置する楕円形状の起伏部８８と協働するように構成されている。加えて、芯貯蔵部２６は、ガイドシリンダ３８の前端面３８Ｅに隣接するための肩部９６を有する。
【００７０】
芯貯蔵部２６及びガイドシリンダ３８を互いに組み付けるとき、リブ８４の傾斜面８４Ａ及びリブ９０の傾斜面９０Ａによれば、芯貯蔵部２６の後端部２６Ｂに、ガイドシリンダ３８の前端部３８Ａをより容易に挿入することができる。特に、リブ及び溝が正しく並んでいないとき、傾斜面によれば、ガイドシリンダ３８が芯貯蔵部２６に対して長手方向Ｌを軸としてより容易に回転することによって、組み付け中に、リブ及び溝を容易に並ばせることができる。
【００７１】
ガイドシリンダ３８のボディ３８Ｂは、円筒形状であり、かつ、長手方向Ｌに延びている。ボディ３８Ｂは、長手方向に延びており、かつ、直径方向に互いに対向している２つのスロット９８を有する。２つのスロット９８は、消しゴムホルダ４０を収容し、かつ、ガイドするように構成されている。
【００７２】
また、長手方向Ｌにおけるスロット９８とリブ９０との間において、ガイドシリンダのボディ３８Ｂは、１対の弾性突起部１００を含む。
【００７３】
ガイドシリンダ３８の後端部３８Ｃは、環状の端面１０２を含む。
【００７４】
図２及び３に示すように、一般的に、消しゴムホルダ４０は、基部１０６によって互いに接続された２つの側面（ailette）１０４を有するＵ字形状である。２つの側面１０４は、ガイドシリンダ３８のスロット９８内をスライドするように構成されている。
【００７５】
各側面１０４は、内側表面１０４Ａにおいて、消しゴム４４を保持するためのフック１０８を有し、かつ、外側表面１０４Ｂにおいて、チューブ４２の内側表面４２Ａに位置する螺旋状のカム１１２内をスライドするように構成されたスタッド１１０を有する。したがって、チューブ４２は、交互に配置された２つの螺旋状のカム１１２を含むことに留意すべきである。
【００７６】
シャープペンシル１０の組み立て方法は、図８〜１１を参照して、以下で説明する。
【００７７】
図１〜７に示されたシャープペンシル１０の実施形態において、シャープペンシル１０は、以下で説明する所定の順番で組み立てられる。
【００７８】
長手方向Ｌに延びているバレル１２と、芯押出機構２４と、芯貯蔵部２６と、消しゴム押出機構２２と、サイドボタン１８と、を供給する。
【００７９】
芯押出機構２４は、チャックスリーブ３２の内部に固定用リング３０を挿入することによって組み立てられる。次に、固定用リング３０及びチャックスリーブ３２の間にバネ３４を挿入する。チャックスリーブ３２の後部を通じて、チャックスリーブ３２の内部にチャックホルダ３６を挿入する。チャック２８の後端部２８Ａにおける環状の起伏部６８が、チャックホルダ３６の内側表面３６Ｇの前部３６Ｈにおける環状の起伏部６６と長手方向に互いにスナップ嵌めされるまで、チャックスリーブ３２の前部を通じて、チャック２８を挿入する。
【００８０】
図９に示すとおり、組み立てられた芯押出機構２４をシャープペンシル１０に取り付けることができる。
【００８１】
特に、チャックスリーブ３２は、チャックホルダ３６に対して長手方向Ｌを軸として自由に回転することに留意すべきである。
【００８２】
消しゴム押出機構２２を組み立てるために、ガイドシリンダ３８の内部に消しゴムホルダ４０を挿入する。より具体的には、各側面１０４をガイドシリンダ３８のスロット９８の１つに挿入する。チューブ４２の内部に、ガイドシリンダ３８をその前端部３８Ａから挿入する。ガイドシリンダ３８を挿入するとき、弾性突起部１００は、ガイドシリンダ３８の内側に向かって変形する。次に、チューブ４２の螺旋状のカム１１２に、スタッド１１０を挿入する。チューブ４２が弾性突起部１００を完全に通過するまで、長手方向Ｌを軸としてチューブ４２を回転させる。弾性突起部１００には、チューブ４２によって、ガイドシリンダ３８の内側に向かう応力がもはや印加されないため、弾性突起部自体の弾性の影響によって、弾性突起部は、元の位置に戻り、ガイドシリンダ３８の後端部３８Ｃにおける端面１０２と、弾性突起部１００との間でチューブ４２を長手方向に固定する。長手方向での固定は、製作公差に相当するわずかな隙間によって行われてもよいことに留意すべきである。次に、消しゴム４４がガイドシリンダ３８の後端部３８Ｃをわずかに越えて延びるように、消しゴムホルダ４０の内部に消しゴム４４を挿入し、ガイドシリンダ３８に対して、長手方向Ｌを軸としてチューブ４２を回転させる。
【００８３】
螺旋状のカム１１２を備えた消しゴム押出機構２２が組み立てられる。
【００８４】
螺旋状のカム１１２を備えた消しゴム押出機構２２を組み立てる方法には、変形例があってもよいことに留意すべきである。例えば、スロット９８に側面１０４を配置したあとに、消しゴムホルダ４０の内部に消しゴム４４を挿入してもよい。
【００８５】
次に、ガイドシリンダの前端部３８Ａに位置する環状フランジ９４が、芯貯蔵部２６の後端部２６Ｂにおけるリブ８４に位置する楕円形状の起伏部８８と長手方向にスナップ嵌めされるまで、芯貯蔵部２６の後端部２６Ｂの内部に、ガイドシリンダ３８の前端部３８Ａを挿入する。
【００８６】
リブ９０が、芯貯蔵部２６の後端部２６Ｂにおける溝８６と並び、かつ、リブ８４が、ガイドシリンダ３８の前端部３８Ａにおける溝９２と並ぶように、ガイドシリンダ３８の前端部３８Ａにおけるリブ９０の傾斜面９０Ａが、芯貯蔵部２６の後端部２６Ｂにおけるリブ８４の傾斜面８４Ａと協働する。
【００８７】
このように、隣接する溝８６及び９２と協働するリブ８４及び９０によって、ガイドシリンダ３８は、芯貯蔵部２６に対して長手方向Ｌを軸として回転することが妨げられている。
【００８８】
一般的には、消しゴム押出機構２２が、芯貯蔵部２６に対して長手方向Ｌを軸として回転することが妨げられていると言える。しかし、チューブ４２は、芯貯蔵部２６に対して長手方向Ｌを軸として回転することが妨げられていないことに留意すべきである。
【００８９】
また、ガイドシリンダの前端部３８Ａに位置する環状フランジ９４が、芯貯蔵部２６の後端部２６Ｂにおけるリブ８４に位置する楕円形状の起伏部８８と長手方向にスナップ嵌めされることによって、ガイドシリンダ３８が、芯貯蔵部２６と長手方向に連結している。
【００９０】
一般的には、消しゴム押出機構２２が、芯貯蔵部２６と長手方向に連結していると言える。しかし、消しゴム４４を前進又は後退させるためにチューブ４２を回転させるとき、消しゴムホルダ４０及び消しゴム４４が芯貯蔵部２６に対して長手方向に移動するという意味では、消しゴムホルダ４０及び消しゴム４４は、芯貯蔵部２６と連結している必要がないことに留意すべきである。
【００９１】
したがって、図１０に示すとおり、芯貯蔵部２６及び消しゴム押出機構２２によって形成されたアセンブリをバレル１２に組み付けることができる。
【００９２】
図８に示すとおり、バレル１２は、長手方向Ｌに延びているスロット１１４を含む。スロット１１４は、環状リング４８の直径を含むとともに軸Ｌ（図４参照）を含む平面を与える環状リング４８の最も広い断面に対応する形状及び寸法を有する。
【００９３】
バレル１２の内部に環状リング４８を挿入したときにおける使用形態のサイドボタン１８が破線で示されている。バレル１２のスロットにサイドボタン１８を挿入するために、サイドボタンを柄５０の軸Ａの周りに９０°回転させ、図８における実線で示された位置にする。このとき、環状リング４８の軸Ｌは、バレル１２の軸Ｌに直交する。
【００９４】
サイドボタン１８がバレル１２に隣接するようになるまで、環状リング４８をスロットに挿入する。この位置において、環状リング４８は、バレル１２の内部に十分に挿入されている。駆動部４６は、バレル１２の外側にあり、柄５０は、バレルのスロット１１４内にある。サイドボタン１８の軸Ｌがバレル１２の軸Ｌと一致するように、サイドボタン１８を柄５０の軸Ａの周りに９０°回転させる。
【００９５】
このように、サイドボタン１８は、隣接するスロット１１４、特にスロット１１４の長手方向に延びている側部１１４Ａと協働する柄５０によって、長手方向を軸として回転することが妨げられている。柄５０は、円柱形状であり、かつ、スロット１１４の幅と（製作公差の範囲内において）等しい又は近似している直径を有する。バレル１２は、半径方向Ｒにおいて、軸Ａに沿った柄５０の長さより短い又は柄５０の長さと等しい厚みを有することに留意すべきである。これにより、サイドボタン１８は、バレル１２に対して長手方向を軸として回転することが妨げられている。
【００９６】
図９に示すとおり、サイドボタン１８、特に環状リング４８をバレル１２のスロット１１４を通じてバレル１２の内部に挿入する。バレル１２の前端部１２Ａを通じて、芯押出機構２４をバレル１２の内部に挿入することができる。
【００９７】
サイドボタン１８は、スロット１１４の前部に配置されてもよい。チャックホルダ３６の第３円筒部３６Ｅに位置するリブ６０及び溝６２は、環状リング４８の内側表面５４に位置するリブ５６及び溝５８に接するようになる。周方向Ｃにおいて、リブ６０が溝５８と並んでいない場合、又は、反対に、周方向Ｃにおいて、溝６２がリブ５６と並んでいない場合、傾斜面６０Ａと、バネ３４の弾性とによれば、リブ６０及び５６が溝５８及び６２と並ぶように、チャックホルダ３６が長手方向Ｌを軸として回転することができる。この回転は、容易に実施される。芯押出機構は、バレル１２の内部に挿入されている間、チャックスリーブ３２の前端部３２Ａによって固定される。しかし、上述したとおり、チャックスリーブ３２は、チャックホルダ３６に対して自由に回転するため、リブ６０及び５６が溝５８及び６２と並ぶように、チャックホルダ３６が長手方向Ｌを軸として回転できる。相当数のリブ６０及び５６と溝５８及び６２とによれば、チャックホルダ３６が環状リング４８に対して長手方向Ｌを軸として回転する必要がある距離を減少させることができる。
【００９８】
リブ６０及び５６と溝５８及び６２とが並んでいるとき、チャックホルダ３６のカラー３６Ｄの端面６４が環状リング４８の端面４８Ａと隣接するようになり、かつ、チャックスリーブ３２の前端部３２Ａにおける環状の肩部３２Ｂがバレル１２の前端部１２Ａに隣接するようになるまで、チャックホルダ３６を環状リング４８に挿入できる。
【００９９】
そのため、隣接する溝５８及び６２と協働するリブ６０及び５６によって、チャックホルダ３６は、環状リング４８に対して長手方向Ｌを軸として回転することが妨げられている。
【０１００】
一般的には、芯押出機構は、サイドボタン１８に対して長手方向Ｌを軸として回転することが妨げられていると言える。しかし、チャックスリーブ３２は、サイドボタン１８に対して長手方向Ｌを軸として回転することが妨げられていないことに留意すべきである。
【０１０１】
したがって、図１０に示すとおり、芯押出機構２４をバレル１２の内部に組み付ける。バレルの後端部１２Ｂを通じて、芯貯蔵部２６及び消しゴム押出機構２２によって形成されたアセンブリをバレル１２の内部に挿入することができる。
【０１０２】
バレル１２の前端部１２Ａに螺合して固定された円錐状の末端部１４の手段によって、芯押出機構２４、特にチャックスリーブ３２の肩部３２Ｂをバレル１２の前端部１２Ａに対して固定する。芯貯蔵部２６の前端部２６Ａをバレル１２の内部に挿入する。
【０１０３】
芯貯蔵部２６及び消しゴム押出機構２２によって形成されたアセンブリは、消しゴム押出機構２２のチューブ４２によって固定されていてもよい。
【０１０４】
芯貯蔵部の前端部２６Ａが第３円筒部３６Ｅと接するとき、芯貯蔵部２６の外側表面２６Ｄに位置するリブ７６及び溝７８は、チャックホルダ３６の内側表面３６Ｇの後部３６Ｊに位置するリブ７２及び溝７４と接する。周方向Ｃにおいて、リブ７６が溝７４と並んでいない場合、又は、反対に、周方向Ｃにおいて、溝７８がリブ７４と並んでいない場合、リブ７６及び７２のそれぞれの傾斜面７６Ａ及び７２Ａによれば、リブ７６及び７２が溝７４及び７８と並ぶように、芯貯蔵部２６が長手方向Ｌを軸として回転できる。この回転は、容易に実施される。消しゴム押出機構は、バレル１２の内部に挿入されている間、チューブ４２によって固定される。しかし、上述したとおり、チューブ４２は、ガイドシリンダ３８及び芯貯蔵部２６に対して自由に回転するため、リブ７６及び７２が溝７４及び７８と並ぶように、芯貯蔵部２６が長手方向Ｌを軸として回転できる。
【０１０５】
芯貯蔵部２６の前端部２６Ａの外側表面２６Ｄに位置する環状フランジ８０が、長手方向のスナップ嵌めによって、チャックホルダ３６の内側表面３６Ｇの中間部３６Ｉに位置する楕円形状の起伏部７０と連結するまで、芯貯蔵部２６の前端部２６Ａをチャックホルダ３６の第３円筒部３６Ｅに挿入する。
【０１０６】
そのため、隣接する溝７４及び７８と協働するリブ７６及び７２によって、芯貯蔵部２６は、チャックホルダ３６に対して長手方向Ｌを軸として回転することが妨げられている。
【０１０７】
一般的には、芯貯蔵部２６は、芯押出機構２４に対して長手方向Ｌを軸として回転することが妨げられていると言える。
【０１０８】
さらに、消しゴム押出機構２４は、芯押出機構２４に対して長手方向Ｌを軸として回転することが妨げられていると言える。しかし、チューブ４２は、芯押出機構２６に対して長手方向Ｌを軸として回転することが妨げられていないことに留意すべきである。
【０１０９】
また、芯貯蔵部２６の前端部２６Ａの外側表面２６Ｄに位置する環状フランジ８０が、チャックホルダ３６の内側表面３６Ｇの中間部３６Ｉに位置する楕円形状の起伏部７０と長手方向にスナップ嵌めされることによって、芯貯蔵部がチャックホルダ３６と長手方向に連結している。
【０１１０】
一般的には、芯押出機構２４は、芯貯蔵部２６と長手方向に連結していると言える。しかし、シャープペンシル１０において、芯を延ばすためにサイドボタン１８を駆動したとき、チャックスリーブ３２が芯貯蔵部２６とともに長手方向に移動しないという意味では、チャックスリーブ３２は、芯貯蔵部２６と連結している必要がないことに留意すべきである。
【０１１１】
さらに、チャックホルダ３６は、サイドボタン１８に対して長手方向Ｌを軸として回転することが妨げられているため、芯貯蔵部２６及び消しゴム押出機構も、サイドボタン１８に対して長手方向Ｌを軸として回転することが妨げられていることに留意すべきである。サイドボタン１８は、それ自体が、バレル１２に対して長手方向Ｌを軸として回転することが妨げられているため、芯押出機構２４、芯貯蔵部２６及び消しゴム押出機構２２も、バレル１２に対して長手方向Ｌを軸として回転することが妨げられている。しかし、チューブ４２は、バレル１２に対して長手方向を軸として回転することが妨げられていないことに留意すべきである。
【０１１２】
芯貯蔵部２６をバレル１２の内部に組み付けたあと、芯保護部１６の周りにリング１１６を配置し、これらを、バレルの前端部１２Ａに螺合して固定される突出部１４の内部に挿入する。肩部３２Ｂは、バレル１２の前端部１２Ａと、突出部１４の一部との間に固定される。これにより、シャープペンシル１０が組み立てられる。
【０１１３】
組立作業の順番は、異なっていてもよいことに留意すべきである。芯貯蔵部２６及び消しゴム押出機構２２によって形成されたアセンブリを挿入する前に、突出部１４がバレル１２に組み付けられることが想定されてもよい。芯押出機構２４及び消しゴム押出機構２２が異なる位置で同時に組み立てられてもよい。
【０１１４】
しかし、説明した実施形態では、芯押出機構２４を挿入する前に、サイドボタン１８をバレル１２の内部に挿入する。芯貯蔵部２６及び消しゴム押出機構２２によって作製されたアセンブリを挿入する前に、芯押出機構２４をバレルの内部に挿入する。
【０１１５】
シャープペンシル１０の作動形態を示している図１１からわかるとおり、シャープペンシル１０において、芯を前進させるために、サイドボタン１８を前方に押し、駆動させたとき、環状リング４８の端面４８Ａがチャックホルダ３６のカラー３６Ｄの端面６４を前方に押し、チャックホルダ３６を前進させる。芯貯蔵部２６及び消しゴム押出機構２２は、芯押出機構２４、特にチャックホルダ３６と長手方向に連結しているため、芯貯蔵部２６及び消しゴム押出機構２２も、チャックホルダ３６とともに前進する。
【０１１６】
サイドボタン１８を離したとき、バネ３４の復元力によって、シャープペンシルは、図１２に示される休止形態に戻る。消しゴム押出機構２２、芯貯蔵部２６及び芯押出機構２４、特にチャックホルダ３６は、バレル１２の後部に移動する。
【０１１７】
消しゴム押出機構２２、芯貯蔵部２６及び芯押出機構２４は、長手方向に連結しているため、消しゴム押出機構２２を前方に押し、その後、押すことを止めることによって、シャープペンシル１０を作動形態にすることもできることに留意すべきである。
【０１１８】
シャープペンシル１０は、詰め替え可能であってもよい。結果として、芯貯蔵部２６と消しゴム押出機構２２との間の長手方向の連結は、その連結が他の長手方向での連結力よりも小さい連結力を与えるように、特に、この連結が芯押出機構２４と芯貯蔵部２６との間の長手方向での連結力よりも小さい長手方向での連結力を与えるように構成されていてもよい。そのため、消しゴム押出機構２２が後方に引っ張られたとき、芯押出機構２４及び芯貯蔵部２６の長手方向での連結が切り離される前に、芯貯蔵部２６及び消しゴム押出機構２２の長手方向での連結が切り離される。これにより、芯貯蔵部２６に近づき、芯を補充することができる。その後、上述したとおり、バレル１２及び芯貯蔵部２６の後端部２６Ｂの内部に消しゴム押出機構２２を挿入する。
【０１１９】
消しゴム４４を前進又は後退させるために、チューブ４２をバレル１２に対して長手方向を軸として、一定方向又はその反対方向に回転させる。ガイドシリンダ３８は、バレル１２に対して長手方向を軸として回転することが妨げられているため、チューブ４２の螺旋状のカム１１２に挿入された消しゴムホルダ４０のスタッドが、チューブ４２の回転運動を、長手方向における消しゴムホルダ４０及び消しゴム４４の直線運動に変換する。これにより、消しゴム４４が前進又は後退する。
【０１２０】
本開示は、特定の実施形態を参照して説明されているが、請求項によって定義された発明の一般的範囲を越えることなく、この実施形態に様々な改良及び変更が行われてもよいことが明らかである。さらに、上述した様々な実施形態に固有の特徴を追加の実施形態に組み合わせてもよい。したがって、本明細書及び図面は、限定的なものではなく、説明のためのものであることに留意すべきである。
【０１２１】
貯蔵ボディ２６Ｃの形状は、円筒形状に限定されないことに留意すべきである。貯蔵ボディ２６Ｃは、わずかに円錐形状であってもよい。さらに、バレルは、円形ではない基部を有していてもよいことに留意すべきである。
【０１２２】
また、実施例のみによって与えられた長手方向リブの数及び形状は、多様であってもよいことに留意すべきである。シャープペンシルの様々な部品が互いに長手方向に連結することを可能にする起伏形状及び起伏部についても同様である。
【図１】
2019508291.tif 000003
【図２】
2019508291.tif 000004
【図３】
2019508291.tif 000005
【図４】
2019508291.tif 000006
【図５Ａ】
2019508291.tif 000007
【図５Ｂ】
2019508291.tif 000008
【図６Ａ】
2019508291.tif 000009
【図６Ｂ】
2019508291.tif 000010
【図７】
2019508291.tif 000011
【図８】
2019508291.tif 000012
【図９】
2019508291.tif 000013
【図１０】
2019508291.tif 000014
【図１１】
2019508291.tif 000015
【図１２】
2019508291.tif 000016
【国際調査報告】
2019508291.tif 000017
2019508291.tif 000018
2019508291.tif 000019
2019508291.tif 000020
2019508291.tif 000021
2019508291.tif 000022